(57)【特許請求の範囲】
【請求項１】
気体と液体とを混合するポンプから送られてくる気液混合液に含まれる気泡を微細化する微細気泡発生装置において、
本体に備えられる分配器と、複数の旋回器とを備え、
前記分配器が、
両端に第１端壁が設けられ内面が円筒形に構成される分配筒部と、
一方の前記第１端壁の少なくとも一部に代えて設けられ、前記分配筒部に気液混合液を流入させる１つの分配流入口と、
前記分配筒部の内周壁から、前記内周壁の接線方向に気液混合液が前記本体の側面に向かって流出するよう設けられる複数の分配流出口と、を備え、
前記旋回器が、
両端に第２端壁が設けられ内面が円筒形に構成される旋回筒部と、
前記分配流出口が接続されるとともに前記旋回筒部の内周壁に接線方向から気液混合液が流入するよう設けられる旋回流入口と、
前記第２端壁の中央に設けられ気液混合液を流出させる旋回流出口と、を備える、
ことを特徴とする微細気泡発生装置。
【請求項２】
気体と液体とを混合するポンプから送られてくる気液混合液に含まれる気泡を微細化する微細気泡発生装置において、
本体に備えられる分配器と、複数の旋回器とを備え、
前記分配器が、
両端に第１端壁が設けられ内面が円筒形に構成される分配筒部と、
前記本体の側面から前記分配筒部に気液混合液を流入させる１つの分配流入口と、
前記分配筒部の内周壁から、前記内周壁の接線方向に気液混合液が前記本体の側面に向かって流出するよう設けられる複数の分配流出口と、を備え、
前記旋回器が、
両端に第２端壁が設けられ内面が円筒形に構成される旋回筒部と、
前記分配流出口が接続されるとともに前記旋回筒部の内周壁に接線方向から気液混合液が流入するよう設けられる旋回流入口と、
前記第２端壁の中央に設けられ気液混合液を流出させる旋回流出口と、を備える、
ことを特徴とする微細気泡発生装置。
【請求項３】
複数の前記分配器を前記分配筒部が連通するように接続した集合体とし、前記第１端壁が前記集合体の両端のみに設けられていることを特徴とする請求項１に記載の微細気泡発生装置。
【請求項４】
前記分配流入口が、前記分配筒部の内周壁に接線方向から気液混合液が流入するよう設けられていることを特徴とする請求項２に記載の微細気泡発生装置。
【請求項５】
前記分配流出口が、前記分配筒部の軸方向から見て放射状に設けられていることを特徴とする請求項１又は３に記載の微細気泡発生装置。
【請求項６】
前記分配流出口が、前記分配筒部の軸方向の異なる位置に設けられていることを特徴とする請求項１ないし５のいずれか１項に記載の微細気泡発生装置。
【請求項７】
前記分配流出口が、前記分配筒部の軸方向から見て同じ方向に設けられていることを特徴とする請求項２又は４に記載の微細気泡発生装置。
【請求項８】
複数の前記旋回器を覆うケースを備え、
前記ケースに気液混合液を流出させるケース流出口が設けられていることを特徴とする請求項７に記載の微細気泡発生装置。
【請求項９】
前記第２端壁が着脱可能に構成されていることを特徴とする請求項１ないし８のいずれか１項に記載の微細気泡発生装置。
【請求項１０】
前記気体がオゾン、窒素、水素のうちいずれかであることを特徴とする請求項１ないし９のいずれか１項に記載の微細気泡発生装置。
【発明の詳細な説明】
【技術分野】
【０００１】
本発明は、微細気泡のうち、特に、ウルトラファインバブルと呼ばれるナノサイズの微細気泡を発生させるための装置に関する。
【背景技術】
【０００２】
従来、気液混合液から微細気泡を発生させる際に、微細気泡の発生効率を向上させる目的で、特開２００５−１６９２６９号公報に、気体と液体とを混合するポンプから送られてきた気液混合液を、加圧液導入管によって十字形に４分配し、分配した気液混合液を複数の器体内で旋回させる気泡発生装置が開示されている。
【０００３】
また、同様に微細気泡の発生効率を向上させる目的で、特許第４１１８９３９号公報に、円筒状部材である気体旋回剪断装置と分散器を２段階に接続し、それぞれの円筒状部材内の旋回作用によって微細気泡を得る微細気泡発生装置が開示されている。
【先行技術文献】
【特許文献】
【０００４】
【特許文献１】特開２００５−１６９２６９号公報
【特許文献２】特許第４１１８９３９号公報
【発明の概要】
【発明が解決しようとする課題】
【０００５】
しかし、特許文献１に開示されている気泡発生装置では、気液混合液を分配する加圧液導入管は単なる配管継手であるため、気液混合液の分配機能しか有さず、そこで微細気泡の発生効率を向上させることはできなかった。
【０００６】
また、特許文献２に開示されている微細気泡発生装置では、２段階に円筒状部材を接続することで、より細かな微細気泡を発生させることが期待できるものの、後段の円筒状部材を複数設けることができず、微細気泡の発生効率を向上させることが困難であった。
【０００７】
本発明は、上記の点に鑑みなされたもので、前段の円筒状部材である分配器内で気泡を微細化させながら気液混合液を分配し、後段の円筒状部材である旋回器を任意の数設けることを可能とすることで、微細気泡を効率よく発生させることができる微細気泡発生装置を提供することを目的とする。
【課題を解決するための手段】
【０００８】
本発明の微細気泡発生装置は、
気体と液体とを混合するポンプから送られてくる気液混合液に含まれる気泡を微細化する微細気泡発生装置において、
本体に備えられる分配器と、複数の旋回器とを備え、
前記分配器が、
両端に第１端壁が設けられ内面が円筒形に構成される分配筒部と、
一方の前記第１端壁の少なくとも一部に代えて設けられ、前記分配筒部に気液混合液を流入させる分配流入口と、
前記分配筒部の内周壁から、その接線方向に気液混合液が前記本体の側面に向かって流出するよう設けられる複数の分配流出口と、を備え、
前記旋回器が、
両端に第２端壁が設けられ内面が円筒形に構成される旋回筒部と、
前記分配流出口が接続されるとともに前記旋回筒部の内周壁に接線方向から気液混合液が流入するよう設けられる旋回流入口と、
前記第２端壁の中央に設けられ気液混合液を流出させる旋回流出口と、を備える、
ことを特徴とする。
【０００９】
本発明の微細気泡発生装置は、
気体と液体とを混合するポンプから送られてくる気液混合液に含まれる気泡を微細化する微細気泡発生装置において、
本体に備えられる分配器と、複数の旋回器とを備え、
前記分配器が、
両端に第１端壁が設けられ内面が円筒形に構成される分配筒部と、
前記本体の側面から前記分配筒部に気液混合液を流入させる分配流入口と、
前記分配筒部の内周壁から、その接線方向に気液混合液が前記本体の側面に向かって流出するよう設けられる複数の分配流出口と、を備え、
前記旋回器が、
両端に第２端壁が設けられ内面が円筒形に構成される旋回筒部と、
前記分配流出口が接続されるとともに前記旋回筒部の内周壁に接線方向から気液混合液が流入するよう設けられる旋回流入口と、
前記第２端壁の中央に設けられ気液混合液を流出させる旋回流出口と、を備える、
ことを特徴とする。
【００１０】
これらの本発明の微細気泡発生装置によれば、前段に設けられる分配器が、分配筒部の内周壁の接線方向に気液混合液が流出するよう設けられる複数の分配流出口を備えるため、流出する気液混合液の流れによって分配筒部の内部で気液混合液を旋回させることができる。これにより、分配流入口から流入した気液混合液に含まれる気泡が微細化されるとともに、さらに後段に設けられる旋回器で微細化され、細かな微細気泡を発生させることができる。また、分配流出口が複数備えられているため、分配流出口に接続される後段の旋回器を複数備えることができる。これにより、多量の微細気泡を効率よく発生させることが可能となる。
【００１１】
また、本発明の微細気泡発生装置のうち、分配流入口が一方の第１端壁の少なくとも一部に代えて設けられる形態では、分配流入口の径を最大で分配筒部の径と同じまで拡大でき、分配流入口を比較的大口径とすることができる。これにより、多くの気液混合液を微細気泡発生装置に供給することができ、大容量の微細気泡発生装置とすることができる。
【００１２】
本発明の微細気泡発生装置の好ましい例は、
複数の前記分配器を前記分配筒部が連通するように接続した集合体とし、前記第１端壁が前記集合体の両端のみに設けられていることを特徴とする。
【００１３】
本発明の微細気泡発生装置の好ましい例によれば、分配器を任意の数だけ設けることができ、装置の容量や能力の大小に容易に対応させることができる。また、同じ仕様の分配器を用いて容量や能力の可変が可能となるため、部品の共通化を図ることができ、製品のコストダウンが可能となる。
【００１４】
本発明の微細気泡発生装置の好ましい例は、
前記分配流入口が、前記分配筒部の内周壁に接線方向から気液混合液が流入するよう設けられていることを特徴とする。
【００１５】
本発明の微細気泡発生装置の好ましい例によれば、気液混合液が分配筒部の内周壁に接線方向から流入するため、分配流入口から流入する気液混合液によっても分配筒部の内部で気液混合液を旋回させることができる。これにより、分配流入口から流入した気液混合液に含まれる気泡をより微細化させることができる。
【００１６】
本発明の微細気泡発生装置の好ましい例は、
前記分配流出口が、前記分配筒部の軸方向から見て放射状に設けられていることを特徴とする。
【００１７】
本発明の微細気泡発生装置の好ましい例によれば、分配筒部の内部の気液混合液に旋回を起こさせる分配流出口が、分配筒部の軸方向から見て放射状に設けられているため、分配筒部の内部での気液混合液の旋回をより滑らかなものとすることができる。また、分配流出口を数多く設けることが可能となり、旋回器を多数接続することができる。これにより、大容量の微細気泡発生装置とすることが容易となる。
【００１８】
本発明の微細気泡発生装置の好ましい例は、
前記分配流出口が、前記分配筒部の軸方向の異なる位置に設けられていることを特徴とする。
【００１９】
本発明の微細気泡発生装置の好ましい例によれば、旋回器が接続される分配流出口が、分配筒部の軸方向の異なる位置に設けられているため、分配流出口を増設することがさらに容易となり、より大容量の微細気泡発生装置とすることができる。
【００２０】
本発明の微細気泡発生装置の好ましい例は、
前記分配流出口が、前記分配筒部の軸方向から見て同じ方向に設けられていることを特徴とする。
【００２１】
本発明の微細気泡発生装置の好ましい例によれば、旋回器が接続される分配流出口が、分配筒部の軸方向から見て同じ方向に設けられているため、複数の旋回器をまとめて設置することが可能となり、微細気泡発生装置を小型化することが容易となる。
【００２２】
本発明の微細気泡発生装置の好ましい例は、
複数の前記旋回器を覆うケースを備え、
前記ケースに気液混合液を流出させるケース流出口が設けられていることを特徴とする。
【００２３】
本発明の微細気泡発生装置の好ましい例によれば、旋回器を覆うとともにケース流出口が設けられたケースを備えるため、気液混合液をまとめてケース流出口に接続した配管等に流出させることが可能となり、装置の設置の自由度を増すことが可能となる。
【００２４】
本発明の微細気泡発生装置の好ましい例は、
前記第２端壁が着脱可能に構成されていることを特徴とする。
【００２５】
本発明の微細気泡発生装置の好ましい例によれば、第２端壁が着脱可能に構成されているため、旋回流出口を異なる仕様のものに容易に交換することができ、様々な仕様に対応可能な微細気泡発生装置とすることができる。
【００２６】
本発明の微細気泡発生装置の好ましい例は、
前記気体がオゾン、窒素、水素のうちいずれかであることを特徴とする
【００２７】
本発明の微細気泡発生装置の好ましい例によれば、気体にオゾン、窒素、水素のいずれかを用いているため、微細気泡発生装置から吐出された水によって、オゾンによる有機物分解、窒素による細菌増加抑制、水素による美容保持等の効果を得ることができる。
【発明の効果】
【００２８】
以上説明したように、本発明の微細気泡発生装置によれば、前段の円筒状部材である分配器内で気泡を微細化させながら気液混合液を分配し、後段の円筒状部材である旋回器を任意の数設けることを可能とすることで、微細気泡を効率よく発生させることができる。
【図面の簡単な説明】
【００２９】
【図１】本発明の第１実施形態に係る微細気泡発生装置を説明する図である。
【図２】図１の微細気泡発生装置の横断面図である。
【図３】図１の微細気泡発生装置の旋回器を説明する図である。
【図４】図１の微細気泡発生装置の第２端壁を説明する図である。
【図５】本発明の第２実施形態に係る微細気泡発生装置を説明する図である。
【図６】図５の微細気泡発生装置の本体を説明する図である。
【図７】図５の微細気泡発生装置の旋回器を説明する図である。
【発明を実施するための形態】
【００３０】
以下、本発明の微細気泡発生装置の実施の形態について、添付図面を参照して詳細に説明する。
【００３１】
［第１実施形態］
先ず、本発明の第１実施形態に係る微細気泡発生装置を説明する。図１は本発明の第１実施形態に係る微細気泡発生装置１０を説明する図、図２は本実施形態の微細気泡発生装置１０を旋回筒部３１の位置で切断した横断面図である。また、図３（Ａ）は本実施形態の微細気泡発生装置１０の旋回器３０を説明するための正面図、図３（Ｂ）は平面図、図３（Ｃ）は図３（Ｂ）のＡ−Ａ線断面図である。また、図４（Ａ）は本実施形態の微細気泡発生装置１０の第２端壁３４を説明するための平面図、図４（Ｂ）は図４（Ａ）のＡ−Ａ線断面図である。
【００３２】
図１、図２に示すように、本実施形態の微細気泡発生装置１０は、本体１１と、旋回器３０とを備える。そして、本体１１は分配器２０を備え、分配器２０は分配筒部２１と、分配流入口２２と、分配流出口２３とを備える。なお、本実施形態の微細気泡発生装置１０には、図示しないポンプ及び配管より、気体と液体とが混合された気液混合液が送られており、本装置にて気液混合液に含まれる気泡をナノレベルまで微細化して排出する。また、気体には、空気の他、オゾン、窒素、水素のうちいずれかを用いることができる。
【００３３】
分配筒部２１は、四角柱状の本体１１の一の軸に沿って設けられた、内面が円筒形に構成されたものである。そして、分配筒部２１の両端には、ボルト等の公知の部材で第１端壁２４ａ，２４ｂが着脱可能に設けられている。
【００３４】
分配流入口２２は、分配筒部２１にその軸方向から気液混合液を流入させるもので、一方の第１端壁２４ａの少なくとも一部に代えて設けられている。分配流入口２２の径は気液混合液の流入量を確保できれば特に限定されないが、本実施形態では、分配流入口２２の径を分配筒部２１の径と同じとしている。また、分配流入口２２には図示しない配管が接続される。
【００３５】
分配流出口２３は、分配筒部２１から気液混合液を流出させ、旋回器３０に供給するもので、分配筒部２１の内周壁の接線方向に気液混合液を流出するよう複数設けられる。本実施形態では、分配流出口２３が分配筒部２１の軸方向の一の近接する位置に４本放射状に設けられており、さらに、分配筒部２１の軸方向の他の近接する位置に４本放射状に設けられ、合計８本設けられる。なお、分配流出口２３の位置はこれに限られず、例えば、１本１本の分配流出口２３を、分配筒部２１の軸方向の位置を少しずつずらしながら放射状に、螺旋階段のように設けることもできる。
【００３６】
旋回器３０は、図１、図３（Ａ）〜（Ｃ）に示すように、旋回筒部３１と、旋回流入口３２と、旋回流出口３３とを備える。なお、本実施形態において、旋回器３０はブラケット３５と一体に構成され、当該ブラケット３５によりボルト等の公知の部材で本体１１に取付けられる。
【００３７】
旋回筒部３１は、両端に図４（Ａ）（Ｂ）に示す第２端壁３４が設けられ、内面が円筒状に構成される。旋回流入口３２は、上記の分配流出口２３が接続されるとともに、旋回筒部３１の内周壁に接線方向から気液混合液が流入するように設けられている。旋回流出口３３は、旋回筒部３１の長手方向の両端に設けられた第２端壁３４の略中央に設けられた孔で、ここから微細気泡を含む気液混合液を流出させる。また、本実施形態では、第２端壁３４としてプラグに孔を設けたものを用いており、当該プラグは旋回筒部３１の両端にネジ、嵌合等の公知の方法で着脱可能に装着される。
【００３８】
なお、分配流出口２３及び旋回器３０の数は、本実施形態の微細気泡発生装置１０では８つとしているが、この数に限られない。例えば、本体１１を本実施形態の四角柱以外の多角柱状としそれぞれの面に分配流出口２３を設けたり、本体１１を円柱状とし任意の箇所に分配流出口２３を設けたりして、分配流出口２３を所望の数とすることができ、分配流出口２３の数に応じた旋回器３０を設けることができる。また、分配流出口２３の不要な箇所にはメクラ栓をし、旋回器３０の数を分配流出口２３の数より減らしてもよい。なお、本体１１、旋回器３０に設けられた溝１４ａ，１４ｂには、図示しない公知のＯリングが嵌め込まれることによって各構成部品の気密を保っている。
【００３９】
また、複数の本体１１（分配器２０）を、分配筒部２１が連通するように接続した集合体とし、第１端壁２４ａ，２４ｂを集合体の両端のみに設ける構成とすることもできる。このようにすることで、本体１１（分配器２０）を共通の仕様としながら、旋回器３０の数を任意に増減させることができる。このとき、分配流入口２２からの気液混合液の供給が不足する場合には、分配流入口２２を両方の第１端壁２４ａ，２４ｂに設けることもできる。
【００４０】
次に、以上説明した各構成要素の構成を踏まえて、本実施形態の微細気泡発生装置１０の動作を説明する。
【００４１】
先ず、水槽に接続された配管からポンプによって水等の液体が吸引されるとともに、配管の途中に設けられた気体導入弁からも気体が導入される。そして、ポンプ内部で液体と気体が混合されることで気液混合液が生成され、ポンプの吐出口に接続された配管に吐出される（いずれも図示せず）。
【００４２】
次に、ポンプから吐出された気液混合液は、図示しない配管によって分配流入口２２より流入する。すると、図２に示すように、分配筒部２１の内面が円筒形に構成されているとともに、分配筒部２１の内周壁の接線方向に気液混合液が流出するよう分配流出口２３が設けられているため、図中矢印のように気液混合液が分配筒部２１の内部で旋回する。この旋回によって、分配筒部２１での滑らかな気液混合液の流通がなされるとともに、気液混合液に含まれる気泡の細分化が行われる。同時に、任意の数ほど設けられた分配流出口２３によって気液混合液が分配される。
【００４３】
ここで、気液混合液の旋回による気泡の細分化を説明する。分配筒部２１のような円筒形の内部で気液混合液が旋回すると、遠心力と比重の差によって最外周に液体層が形成されるとともに、液体層の内周に気液混合層が形成され複数層に分かれる。そして、液体層は分配筒部２１の内周壁に接触しているため、摩擦によって旋回の速度が弱められ、気液混合層と旋回の速度差が生じる。この速度差によって液体層と気液混合層との境界において気泡が剪断され細分化されて、微細気泡が発生するのである。この作用は旋回器３０の旋回筒部３１においても同様に現れる。
【００４４】
次に、分配器２０で分配された気液混合液は、旋回器３０に流入する。ここでは、分配流出口２３に接続された旋回流入口３２から、円筒形をなす旋回筒部３１の内周壁に接線方向から気液混合液が流入し、図３（Ｃ）矢印に示すような旋回流が発生する。すると、上記同様に気泡が剪断され細分化されて微細気泡が発生する。そして、微細気泡を含む気液混合液が旋回流出口３３から流出する。
【００４５】
以上説明したように、本実施形態の微細気泡発生装置１０によれば、分配筒部２１の内面が円筒形に構成されるとともに、複数の分配流出口２３が分配筒部２１の接線方向に設けられているため、分配筒部２１の内部で気液混合液の旋回流が発生する。これにより、前段の分配器２０においても気泡の細分化がなされ、分配器２０と旋回器３０の２段階で気泡の細分化がなされる。また、分配筒部２１で旋回流が発生するため、分配筒部２１の内部において気液混合液の流通が滑らかとなる。さらに、気液混合液を任意の数に分配させ旋回器３０も任意の数設けることができるため、微細気泡の発生効率を高めることができる。
【００４６】
また、分配流出口２３が分配筒部２１の軸方向に対して放射状に設けられているため、分配流出口２３及び旋回器３０を多数設けることが可能となる。また、分配流入口２２が第１端壁２４ａの少なくとも一部に代えて設けられているため、分配流入口２２の径を分配筒部２１の径まで拡大することが可能となり、多量の気液混合液を微細気泡発生装置１０に供給することができる。これらにより大容量の微細気泡発生装置１０とすることが容易となる。
【００４７】
また、複数の本体１１を分配筒部２１が連通するように接続した集合体とする構成では、微細気泡発生装置１０の能力の増減が容易にできるとともに、能力の増減をするにあたり同じ規格の本体１１を複数用意すれば足り、製品のコストダウンを図ることができる。
【００４８】
また、第２端壁３４が着脱可能なプラグで構成されているため、旋回流出口３３の径を容易に変更することが可能となり、様々な条件に対応した微細気泡発生装置１０とすることができる。
【００４９】
また、気体にオゾンを用いた場合、オゾンの酸化作用によって微細気泡発生装置１０を使用する場所の水質浄化を図ることや、オゾンの微細気泡を含有する水を用いて対象物を洗浄することで高い洗浄効果を発揮させることができる。また、気体に窒素を用いた場合、水の中の酸素濃度が低下することによって細菌の繁殖が抑制でき、例えば魚介類を窒素の微細気泡を含有する冷水に浸漬させて保管することで、魚介類の鮮度維持を図ることができる。また、気体に水素を用いた場合、水素の微細気泡を含有する水を用いて洗顔等することで、美容等に優れた効果を発揮することが期待できる。
【００５０】
［第２実施形態］
次に、本発明の第２実施形態に係る微細気泡発生装置１００を説明する。図５は本発明の第２実施形態に係る微細気泡発生装置１００を説明する図である。また、図６（Ａ）は本実施形態の微細気泡発生装置１００の本体１１１を説明するための平面図、図６（Ｂ）は図６（Ａ）のＡ−Ａ線断面図である。また、図７（Ａ）は本実施形態の微細気泡発生装置１００の旋回器１３０を説明するための正面図、図７（Ｂ）は平面図、図７（Ｃ）は図７（Ｂ）のＡ−Ａ線断面図である。
【００５１】
図５、図６（Ａ）（Ｂ）に示すように、本実施形態の微細気泡発生装置１００は、本体１１１と、旋回器１３０と、ケース１１２とを備える。そして、本体１１１は分配器１２０を備え、分配器１２０は分配筒部１２１と、分配流入口１２２と、分配流出口１２３とを備える。なお、本実施形態の微細気泡発生装置１００も上述の第１実施形態同様に、図示しないポンプより気液混合液が送られ、本装置にて気液混合液に含まれる気泡をナノレベルまで微細化して排出する。また、第１実施形態同様に気体にはオゾン、窒素、水素等を用いることができる。
【００５２】
分配筒部１２１は、略直方体の本体１１１の一の軸と平行して設けられた、内面が円筒形に構成されたものである。そして、分配筒部１２１の両端には、ボルト等の公知の部材で第１端壁１２４が着脱可能に設けられている。また、本体１１１の上面、及び第１端壁１２４の本体１１１側面と接する面には溝１１４ａ，１１４ｂ，１１４ｃが設けられ、これらの溝１１４ａ，１１４ｂ，１１４ｃに図示しないＯリングが嵌め込まれることによって各構成部品の気密を保っている。
【００５３】
分配流入口１２２は、分配筒部１２１の内周壁に接線方向から気液混合液を流入させるもので、本体１１１の一の側面から本体１１１の内部を貫通するように設けられている。分配流入口１２２の径は気液混合液の流入量を確保できれば特に限定されないが、分配筒部１２１の半径以下とすることが好ましい。これは、分配流入口１２２の径が大きすぎると、分配流入口１２２から流入する気液混合液による分配筒部１２１の内部での旋回流が発生しにくくなるからである。なお、分配流入口１２２には、気液混合液を供給する図示しない配管が接続される。
【００５４】
分配流出口１２３は、分配筒部１２１から気液混合液を流出させ、旋回器１３０に供給するもので、分配筒部１２１の内周壁の接線方向に気液混合液を流出するよう複数設けられる。本実施形態では、分配流出口１２３が分配筒部１２１の軸方向の異なる位置に２本、同じ方向に設けられており、本体１１１の上面に向かって貫通されている。
【００５５】
旋回器１３０は、図５、図７（Ａ）〜（Ｃ）に示すように、旋回筒部１３１と、旋回流入口１３２と、旋回流出口１３３とを備える。本実施形態においては、旋回器１３０はボルト等の公知の部材を用いて、本体１１１の上面に分配流出口１２３と旋回流入口１３２とが連通するように取付けられる。そして、２つの旋回器１３０が並列して配置された状態となる。第２端壁１３４等の、旋回器１３０のその他の構成は、第１実施形態によって理解できるため説明を省略する。
【００５６】
なお、分配流出口１２３及び旋回器１３０の数は、本実施形態の微細気泡発生装置１００では２つとしているが、この数に限られない。例えば、本体１１１の分配筒部１２１の軸方向の寸法を延長し、その延長した分だけ分配流出口１２３と旋回器１３０を設けることもできる。
【００５７】
図５に戻り、ケース１１２は、下面が開放された断面略コ字状で、その内部に空洞１１３を備える箱形のもので、本体１１１の上面にボルト等の公知の部材で取付けられる。そして、前記空洞１１３の中に旋回器１３０を収めるとともに、旋回器１３０から流出した気液混合液を、旋回器１３０とケース１１２内壁との間に構成された空間を流通させ、ケース流出口１１５から流出させる。また、ケース流出口１１５には、気液混合液を流出させる図示しない配管が接続される。
【００５８】
次に、以上説明した各構成要素の構成を踏まえて、本実施形態の微細気泡発生装置１００の動作を説明する。
【００５９】
先ず、第１実施形態同様に、図示しないポンプから気液混合液が吐出され供給される。
【００６０】
次に、ポンプから吐出された気液混合液は、図示しない配管によって分配流入口１２２より流入する。すると、図６（Ｂ）に示すように、分配筒部１２１の内面が円筒形に構成されているとともに、分配流入口１２２が分配筒部１２１の内周壁に接線方向から気液混合液が流入するよう設けられており、さらに、分配筒部１２１の内周壁の接線方向に気液混合液が流出するよう分配流出口１２３が設けられているため、図中矢印のように気液混合液が分配筒部１２１の内部で旋回する。この旋回によって、分配筒部１２１での滑らかな気液混合液の流通がなされるとともに、気液混合液に含まれる気泡の細分化が行われる。同時に、複数設けられた分配流出口１２３によって気液混合液が分配される。
【００６１】
次に、分配器１２０で分配された気液混合液は、旋回器１３０に流入する。そして第１実施形態同様に、分配流出口１２３に接続された旋回流入口１３２から、円筒形をなす旋回筒部１３１の内周壁に接線方向から気液混合液が流入し、図７（Ｃ）矢印に示すような旋回流が発生し、微細気泡が発生する。
【００６２】
次に、微細気泡を含む気液混合液が旋回流出口１３３から流出すると、ケース１１２内の空洞１１３によって設けられた空間を気液混合液が流通し、ケース流出口１１５に接続された図示しない配管を通じて排出される。
【００６３】
以上、説明したように、本実施形態の微細気泡発生装置１００によれば、分配流入口１２２が分配筒部１２１の内周壁に接線方向から気液混合液が流入するよう設けられているため、分配筒部１２１の内部でより強力な気液混合液の旋回流が発生し、効率よく微細気泡を発生させることができる。
【００６４】
また、分配流出口１２３を同じ方向に設け並列させているため、旋回器１３０をまとめて配置することが可能となり、装置の小型化を図ることができる。さらに、ケース１１２で旋回器１３０を覆い、ケース流出口１１５から微細気泡を含む気液混合液を流出させているため、配管等をケース流出口１１５に接続することで、微細気泡発生装置１００を水中に設ける必要がなくなり、設置場所の自由度を向上させることができる。
【００６５】
また、分配流出口１２３及び旋回器１３０を任意の数設けることができること、気体にオゾン、窒素、水素を用いることができることによる作用効果は、第１実施形態同様である。
【００６６】
なお、以上説明した各実施形態の微細気泡発生装置は、本発明の例示であり、発明の趣旨を逸脱しない範囲において、その構成を適宜変更することができる。
【符号の説明】
【００６７】
１０，１００・・微細気泡発生装置
１１，１１１・・本体、１１２・ケース、１１３・・空洞、１４ａ，１４ｂ，１１４ａ，１１４ｂ，１１４ｃ・・溝、１１５・・ケース流出口
２０，１２０・・分配器、２１，１２１・・分配筒部、２２，１２２・・分配流入口、２３，１２３・・分配流出口、２４ａ，２４ｂ，１２４・・第１端壁、
３０，１３０・・旋回器、３１，１３１・・旋回筒部、３２，１３２・・旋回流入口、３３，１３３・・旋回流出口、３４，１３４・・第２端壁、３５・・ブラケット、
【図１】
0006508629.tif 000002
【図２】
0006508629.tif 000003
【図３】
0006508629.tif 000004
【図４】
0006508629.tif 000005
【図５】
0006508629.tif 000006
【図６】
0006508629.tif 000007
【図７】
0006508629.tif 000008